(57)【要約】【課題】交通機関を利用する乗客が、移動中の暇な時間を活用して、着席したままあたかもカメラのシャッターを押すかのように所望する車内外の写真撮影が楽しめ、自分のカメラでは写せないアングルでの撮影を可能とし、かつ高品位な画像記憶情報またはプリントが得られるシステムおよび方法を提供する。【解決手段】交通手段に車内または車外を撮影できるカメラを設置し、移動中に乗客が車内で該カメラによって撮影された画像をモニターで見ることができ、乗客が所望する場面を記憶媒体に書き込むまたはプリント出力するために所定の操作によって画像情報が選択でき、選択された画像情報を一時的にサーバーに記憶した後、無線または有線の通信手段を経由して記憶媒体書込手段またはプリンターに送信して、所望の画像情報の書き込みまたはプリント出力を行うことを特徴とする。【選択図】      図１
2004153498.tif 000002
【特許請求の範囲】
【請求項１】
顧客からの画像情報の出力注文を受けて、画像情報の記憶媒体への書き込みまたはプリント出力する、コンピューターないし通信手段を利用したサービスシステムにおいて、
移動中の交通手段の車内または車外を撮影できる共通撮影手段と、
該交通手段を利用して移動中の乗客が該共通撮影手段によって撮影された画像を車内で見るための画像表示手段と、
乗客が所望する場面の画像情報を記憶媒体に書き込むまたはプリント出力する指示を所定の操作によって選択できる受付手段と、
選択された画像情報を一時的に記憶する記憶手段と、
該記憶手段から画像情報を無線または有線の通信手段を経由して送信するための送信手段と、
送信された画像情報を記憶媒体へ書き込むための書き込み手段または送信された画像情報をプリント出力するためのプリント手段と、
を備えたことを特徴とする画像の撮影および出力システム。
【請求項２】
１つの交通手段に対し、お互いに異なる方角または画角で撮影できる複数の共通撮影手段を備えたことを特徴とする請求項１に記載の画像の撮影および出力システム。
【請求項３】
移動中の複数の乗客が車内で前記共通撮影手段によって撮影された画像を個別に見るための複数の画像表示手段と、各々の乗客が個別に所望する場面の画像情報を記憶媒体に書き込むまたはプリント出力する指示を所定の操作によって選択するための複数の受付手段とを備えたことを特徴とする請求項１または２に記載の画像の撮影および出力システム。
【請求項４】
各々の乗客が前記複数の共通撮影手段によって撮影された複数の画像情報から任意に１つを選択して前記画像表示手段に表示させるための画像選択手段を備えたことを特徴とする請求項１〜３のいずれかに記載の画像の撮影および出力システム。
【請求項５】
前記交通手段を利用して移動中の乗客が前記共通撮影手段によって撮影された画像を車内でリアルタイムに見るための画像表示手段を備えたことを特徴とする請求項１〜４のいずれかに記載の画像の撮影および出力システム。
【請求項６】
乗客によって選択された画像情報を顧客情報と関連づけて一時的に記憶するための記憶手段を車内に備えたことを特徴とする請求項１〜５のいずれかに記載の画像の撮影および出力システム。
【請求項７】
乗客によって選択された画像情報を顧客情報と関連づけて車外の記憶手段に無線で送信するための送信手段と、
上記画像情報を車外で記憶媒体に書き込むための書き込み手段または車外でプリント出力するためのプリント手段を備えたことを特徴とする請求項１〜６のいずれかに記載の撮影および出力システム。
【請求項８】
コンピューターないし通信手段を利用した画像の撮影及び出力方法において、交通手段に車内または車外を撮影できる共通カメラを設置し、移動中に乗客が車内で該共通カメラによって撮影された画像をモニターで見ることができ、乗客が所望する場面を記憶媒体に書き込むまたはプリント出力するために所定の操作によって画像情報が選択でき、選択された画像情報を一時的にサーバーに記憶した後、無線または有線の通信手段を経由して記憶媒体書込手段またはプリンターに送信して、所望の画像情報の書き込みまたはプリント出力を行うことを特徴とする画像の撮影および出力方法。
【請求項９】
交通手段に前記共通カメラを複数設置し、各共通カメラはお互いに異なる方角または画角で撮影できるように設置されていることを特徴とする請求項８に記載の画像の撮影および出力方法。
【請求項１０】
移動中に複数の乗客が車内で、前記共通カメラによって撮影された画像を個別のモニターで見ることができ、かつ複数の乗客が所望する場面を記憶媒体に書き込むまたはプリント出力するための操作を個別の操作端末で行うことを特徴とする請求項８または９に記載の画像の撮影および出力方法。
【請求項１１】
前記複数の共通カメラで撮影された画像を複数の乗客が各々個別に任意の１つを選択して見ることができることを特徴とする請求項８〜１０のいずれかに記載の画像の撮影および出力方法。
【請求項１２】
移動中に前記共通カメラで撮影された画像を車内でリアルタイムに見ながら、乗客が所望する場面の画像情報を記憶媒体に書き込みまたはプリント出力する操作をその場でできることを特徴とする請求項８〜１１のいずれかに記載の画像の撮影および出力方法。
【請求項１３】
乗客によって選択された画像情報を顧客情報と関連づけて車内のサーバーに一時的に保存することを特徴とする請求項８〜１２のいずれかに記載の画像の撮影および出力方法。
【請求項１４】
乗客によって選択された画像情報を顧客情報と関連づけて移動中に無線の通信手段を経由して車外のサーバーに送信し、車外に設置された記憶媒体書込手段またはプリンターで出力することを特徴とする請求項８〜１３のいずれかに記載の画像の撮影および出力方法。
【発明の詳細な説明】
【０００１】
【発明の属する技術分野】
本発明は写真サービスシステムに係わり、特に移動する交通手段の車内で撮影した画像を記憶媒体に書き込むまたはプリントすることができる画像の撮影および出力システム、方法に関する。
【０００２】
【従来の技術】
自動露出、自動焦点機構搭載のカメラが普及したことにより、失敗の少ない写真プリントが得られるようになったが、交通手段の車内からの撮影では、まだまだ満足する写真画像を得ることは困難であった。
【０００３】
すなわち、乗り物の振動や速度に起因するブレ、着席した位置によって撮影方向や撮影範囲が限られる、窓の反射や汚れの写り込み、逆光によるフレアの発生などが挙げられる。
特に、飛行機を利用した場合、機外の風景をきれいに撮影したいという要望は高いが、通路側の席からは撮影が難しい、窓側の席でも真下の風景が撮影できない、風景が白く飛んでプリントされる等、なかなか満足できる航空写真が得られないという問題点があった。
【０００４】
近年、旅客機の客席にモニター画面が設置され、飛行時の前方または後方の映像をリアルタイムに映し出すサービスが提供されているが、決められた画像が見られるというサービスに過ぎない。
また、特定の交通機関を使用するユーザからプリント注文を受け入れ、ユーザが利用可能な場所でプリントを受け取るプリントサービスが知られている（特許文献１参照）。
【０００５】
さらに、観光乗物内において、観光客が希望する写真の即時プリント出力やネットワークを通じたアルバム形式データの配信に関するフォトシステムが知られている（特許文献２参照）が、これらは観光客自身があらかじめ自分のカメラで撮影した画像情報をプリント出力するシステムの提案であり、上記課題を解決するには至っていない。
【０００６】
【特許文献１】特開２００２−７５３３
【特許文献２】特開２００２−１２２９４８
【０００７】
【発明が解決しようとする課題】
そこで本発明の目的は、交通機関を利用する乗客が、移動中の暇な時間を活用して、着席したままあたかもカメラのシャッターを押すかのように所望する車内外の写真撮影が楽しめ、自分のカメラでは写せないアングルでの撮影を可能とし、かつ高品位な画像記憶情報またはプリントが得られるシステムおよび方法を提供することにある。
【０００８】
【課題を解決するための手段】
上記本発明の課題は下記構成によって達成される。
【０００９】
１．顧客からの画像情報の出力注文を受けて、画像情報の記憶媒体への書き込みまたはプリント出力する、コンピューターないし通信手段を利用したサービスシステムにおいて、
移動中の交通手段の車内または車外を撮影できる共通撮影手段と、
該交通手段を利用して移動中の乗客が該共通撮影手段によって撮影された画像を車内で見るための画像表示手段と、
乗客が所望する場面の画像情報を記憶媒体に書き込むまたはプリント出力する指示を所定の操作によって選択できる受付手段と、
選択された画像情報を一時的に記憶する記憶手段と、
該記憶手段から画像情報を無線または有線の通信手段を経由して送信するための送信手段と、
送信された画像情報を記憶媒体へ書き込むための書き込み手段または送信された画像情報をプリント出力するためのプリント手段と、
を備えたことを特徴とする画像の撮影および出力システム。
【００１０】
２．１つの交通手段に対し、お互いに異なる方角または画角で撮影できる複数の共通撮影手段を備えたことを特徴とする上記１に記載の画像の撮影および出力システム。
【００１１】
３．移動中の複数の乗客が車内で前記共通撮影手段によって撮影された画像を個別に見るための複数の画像表示手段と、各々の乗客が個別に所望する場面の画像情報を記憶媒体に書き込むまたはプリント出力する指示を所定の操作によって選択するための複数の受付手段とを備えたことを特徴とする上記１または２に記載の画像の撮影および出力システム。
【００１２】
４．各々の乗客が前記複数の共通撮影手段によって撮影された複数の画像情報から任意に１つを選択して前記画像表示手段に表示させるための画像選択手段を備えたことを特徴とする上記１〜３のいずれかに記載の画像の撮影および出力システム。
【００１３】
５．前記交通手段を利用して移動中の乗客が前記共通撮影手段によって撮影された画像を車内でリアルタイムに見るための画像表示手段を備えたことを特徴とする上記１〜４のいずれかに記載の画像の撮影および出力システム。
【００１４】
６．乗客によって選択された画像情報を顧客情報と関連づけて一時的に記憶するための記憶手段を車内に備えたことを特徴とする上記１〜５のいずれかに記載の画像の撮影および出力システム。
【００１５】
７．乗客によって選択された画像情報を顧客情報と関連づけて車外の記憶手段に無線で送信するための送信手段と、
上記画像情報を車外で記憶媒体に書き込むための書き込み手段または車外でプリント出力するためのプリント手段を備えたことを特徴とする上記１〜６のいずれかに記載の撮影および出力システム。
【００１６】
８．コンピューターないし通信手段を利用した画像の撮影及び出力方法において、交通手段に車内または車外を撮影できる共通カメラを設置し、移動中に乗客が車内で該共通カメラによって撮影された画像をモニターで見ることができ、乗客が所望する場面を記憶媒体に書き込むまたはプリント出力するために所定の操作によって画像情報が選択でき、選択された画像情報を一時的にサーバーに記憶した後、無線または有線の通信手段を経由して記憶媒体書込手段またはプリンターに送信して、所望の画像情報の書き込みまたはプリント出力を行うことを特徴とする画像の撮影および出力方法。
【００１７】
９．交通手段に前記共通カメラを複数設置し、各共通カメラはお互いに異なる方角または画角で撮影できるように設置されていることを特徴とする上記８に記載の画像の撮影および出力方法。
【００１８】
１０．移動中に複数の乗客が車内で、前記共通カメラによって撮影された画像を個別のモニターで見ることができ、かつ複数の乗客が所望する場面を記憶媒体に書き込むまたはプリント出力するための操作を個別の操作端末で行うことを特徴とする上記８または９に記載の画像の撮影および出力方法。
【００１９】
１１．前記複数の共通カメラで撮影された画像を複数の乗客が各々個別に任意の１つを選択して見ることができることを特徴とする上記８〜１０のいずれかに記載の画像の撮影および出力方法。
【００２０】
１２．移動中に前記共通カメラで撮影された画像を車内でリアルタイムに見ながら、乗客が所望する場面の画像情報を記憶媒体に書き込みまたはプリント出力する操作をその場でできることを特徴とする上記８〜１１のいずれかに記載の画像の撮影および出力方法。
【００２１】
１３．乗客によって選択された画像情報を顧客情報と関連づけて車内のサーバーに一時的に保存することを特徴とする上記８〜１２のいずれかに記載の画像の撮影および出力方法。
【００２２】
１４．乗客によって選択された画像情報を顧客情報と関連づけて移動中に無線の通信手段を経由して車外のサーバーに送信し、車外に設置された記憶媒体書込手段またはプリンターで出力することを特徴とする上記８〜１３のいずれかに記載の画像の撮影および出力方法。
【００２３】
本明細書において、「車」とは交通手段における乗客を収容する車体、機体、船体等の交通手段本体をいい、「車内」、「車外」とは、この交通手段本体の内・外をいい、例えば、飛行機の場合、機内、機外となる。また、「顧客」とは乗客中の注文客をいう。本発明で用いられる共通撮影手段は、顧客となることができる乗客に共通する画像を撮影する機器類をいう。
【００２４】
【発明の実施形態】
以下、本発明について詳細に説明する。
本発明に係る画像の撮影および出力システムの主たる特徴は、例えば、鉄道路線、バス路線、航空路線、船舶、観光バス、タクシーなどの交通手段を使用するユーザがその移動途中において、当該交通手段本体の内・外に設置した共通撮影手段であるカメラにより撮影した映像の中から乗客が所望の画像を選択して注文を行い、移動時間を利用して注文した画像を受け取るようにしたシステムである。
【００２５】
より詳しく説明すると、本発明に係る画像の撮影および出力システムの主たる特徴は、例えば、鉄道路線、バス路線、航空路線、船舶、観光バス、タクシーなどの交通手段を使用するユーザがその移動途中において、当該交通手段本体の内・外に設置した、少なくとも１台の共通撮影手段であるカメラ（共通カメラ）により撮影したリアルタイムな少なくとも１つの共通提供映像の中から、多くの乗客が所望の画像を各々選択して注文を行い、移動時間を利用して注文した画像を受け取るようにしたシステムである。
【００２６】
そして２つ以上の共通提供映像がある場合、乗客の各々が選択した映像をモニター画像に表示してもよいし、モニター画像を区分して２つ以上の共通提供映像を同時に表示してもよい点も特徴の１つである。
以下、好ましい実施形態として航空機を例にとって説明する。尚、本発明はこの航空機に限定されず、他の交通手段であってもよい。
【００２７】
図１は本発明に係る画像の撮影および出力システムの一実施例を示す概略構成図、図２は本発明に係る画像の撮影および出力システムの利用方法の一例を示すフロー図、図３は受け渡し装置の一実施例を示す外観構成図、図４は受け渡し装置の処理構成を示すブロック図、図５は本発明に係る画像の撮影および出力システムによって得られるプリントの例を示す図である。
【００２８】
共通撮影手段である共通デジタルカメラ（共通デジカメ）（１）〜（３）は、機内にあって透明な保護ガラスなどを介して機外が撮影できるように設置されている。カメラは複数（本態様では（１）〜（３）の３台）が設置され、各々が異なる方向の撮影をカバーするように設置されている。これに加えて又は替えて機内を撮影できるカメラが設置されていてもよい。各カメラがズーム機能を備えていて画角を適宜調整できるようにしてもよいし、同じ方向の撮影でも画角の異なる複数の単焦点レンズカメラを設置しておいてもよい。これらのカメラは、航空写真を撮影するのに最適のシャッタースピード、露出制御等を行うようあらかじめプログラミングされている。
【００２９】
各カメラは機内コンピューター（４）と無線または有線の通信手段により接続され、撮影した画像情報を機内コンピューターに送る。多くの乗客各々は、機内コンピューターに接続したモニター画面（８）およびコントローラー（９）付きの専用端末（７）で、カメラが撮影した画像をリアルタイムに見ることができる。端末装置は、座席毎に１台づつ備え付けられていることが好ましいが、必要な乗客だけに貸与してもよい。乗客がサービスの選択や指示が行えるコントローラーはタッチパネル方式でもよい。乗客は画像を動画として見られることが好ましい。
【００３０】
乗客は、手元のコントローラーで複数あるカメラのうち、任意の１つが撮影した画像を選択してモニター画面に映し出すことができる。乗客は、好みの場所およびアングルの場面で、手元のコントローラーを操作し、あたかもシャッターボタンを押すかのごとく一画面を選択でき、その画像を所定の記憶媒体に記憶させるかプリントとして出力させることができる。乗客が注文した画像情報は、機内のサーバー（５）に一旦ストックされる。
【００３１】
複数の乗客が撮影を楽しみ、個別にプリント等を得るために、乗客はあらかじめ住所、氏名等の顧客情報を機内コンピューターに登録する操作を行ってから撮影を開始することが好ましい。顧客情報は、搭乗記録データを利用することもできる。記憶媒体またはプリントの受け取りに際しては、搭乗記録データ中の座席番号等を注文者の認識ＩＤとしてもよいし、或いは注文時に注文専用の認識ＩＤを発行ないしは発券してもよい。また特定された座席のみを顧客扱いとするシステムを採用してもよく、この場合、特定座席は、ファーストクラスやビジネスクラスのような特定座席であったり、撮影を特に希望する顧客のための優先撮影指定座席等であってもよく、この場合、この特定座席情報が顧客情報として登録されることが好ましい。
【００３２】
顧客が一連の撮影作業を終えると、撮影情報を記憶媒体に記憶するかまたはプリント出力するかを専用端末で選択することができる。また、記憶媒体およびプリントを受け取る場所を選択することができる。記憶媒体としては、コンパクトフラッシュ（登録商標）ＳＤカードやメモリスティック（登録商標）、スマートメディア、マルチメディアカードに代表されるメモリーカード、または、ＣＤ−ＲＯＭやフロッピー（登録商標）ディスク等が好ましい。プリントとしては、この種のデジタル画像のプリントとして公知公用の種々の印画紙、熱転写式記録紙、インクジェットプリント紙等が用いられる。尚、機内でのプリントの受け取りを選択した場合、プリントは熱転写またはインクジェットによるプリントとし、印画紙による高品位なプリントは到着する空港や帰宅途中ないしは帰宅後に自宅等に最寄りのミニラボ店等で受け取るか郵送を選択してもよい。
【００３３】
顧客が機内ですぐに記憶媒体またはプリントを受け取りたい場合は、機内に設置された記憶媒体書込手段またはプリンター（６）を指定することで、機内サーバーにストックされた画像情報が直ちに機内の記憶媒体書込手段またはプリンターに送信され、出力される。たった今、撮影されている映像の中から選択した画像を、航空機に搭乗中にプリントとして受け取ることによって、感動をより深めることができる。また、その場で、同行者の間でプリントを分配することもできる。
【００３４】
プリントとして受け取りたい場合は、各注文画像毎ないしは注文画像全てに対して、枚数、プリントサイズ、トリミング等の一般に提供されているプリントサービスと同様のプリント条件を専用端末にて選択するようにすることが好ましい。
【００３５】
顧客が到着する空港で記憶媒体またはプリントを受け取りたい場合は、到着空港を指定すると、機内サーバーにストックされた画像情報は、顧客情報とともに人工衛星（１０）経由で地上のハブサーバー（１１）に送信され、そこから空港内に設置されたミニラボの店舗サーバー（１３）に転送される。ハブサーバーと店舗サーバー間は、直接通信回線で接続してもよいし、公衆回線等の通信回線を通じて接続するインターネット等のネットワーク網で接続されていてもよい。本システムを設置する場合、各空港に設置することが好ましい。尚、交通手段が航空機以外のバス（観光バスを含む）や電車等の場合は、バスターミナルや駅、バス停や駅付近の専門のサービス店、コンビニ店等のバス・電車に乗り降りする場所に設置される。
【００３６】
空港内のミニラボでは、飛行機の到着時間に合わせて、画像情報の書き込みまたはプリント作業を終えて、到着した顧客が待つことのないように認識ＩＤに基づき間違いの無いように手渡す。この際、空港内のミニラボでのプリント等作業時間を考慮し、顧客が受け取り可能な時間を機内の専用端末で顧客に認知させるか、到着時間を考慮して事前に注文受付を締め切ることが好ましい。
【００３７】
この空港内のミニラボでの記憶媒体またはプリントの受け渡しの際、係員が行ってもよいが、装置を用いた無人手段で行ってもよい。
【００３８】
図３は、無人の受け渡し装置の一例を示す外観構成図である。図３に示す装置はプリンター機能及び記憶媒体書き込み手段を有し、上述のように本システムが設置される交通機関の航路に沿って各空港に配置されており、専用端末において受取場所として指定された本装置には、その専用端末から通信回線、機内コンピューター、機内サーバー、ハブサーバー等を介して注文情報が転送される。その交通機関を使用する顧客は、機内において到着空港での記憶媒体またはプリントの受け取りを選択すると、そのときに指定したプリント受取場所の本装置によって、注文した画像のプリントまたは記憶媒体を受け取ることができる。
【００３９】
記憶媒体またはプリント受け取りの操作について説明する。注文の際に指定した受取場所に到着した顧客は、その受取場所に設置された本装置の表示部（モニタ）４２に表示されている案内画面に従って以下の操作を行う。初めに顧客は、注文の際に専用端末から与えられた認識ＩＤを入力部４０から入力する。これによって、その認識ＩＤの顧客が注文した際の注文情報が識別される。尚、上述のように専用端末によって認識ＩＤが発券される場合には、本装置の所定の挿入口４６から認識ＩＤを受入し、識別情報を判別することよってその認識ＩＤの注文情報が識別される。また、専用端末において、認識ＩＤではなく顧客の名前等を顧客の識別情報として受入する場合には本装置においてもその顧客の名前等の識別情報を入力部４０から入力することによってその顧客の注文情報が識別される。
【００４０】
顧客の注文情報が識別されると、表示部４２には顧客が注文した注文画像が確認画面として表示される。顧客はその確認画面で自分が注文した注文画像であるかを確認し、違っていればその旨を入力部４０から入力し、再度認識ＩＤを入力しなおす。正しければその旨を入力する。正しい旨を入力すると、顧客の搭乗時間中に既に書き込みまたはプリント出力され、内部の収納部に収納されている記憶媒体またはプリントが取り出し口４４に搬出される。これによって顧客は注文した記憶媒体またはプリントを受け取ることができる。ただし、顧客が注文した記憶媒体またはプリントが未だ書き込みまたはプリント出力されていない場合には、その旨が表示部４２に表示されると共に、出来上がるまで残りどれくらいの時間を要するか等の情報が表示部４２に表示されることが好ましい。
【００４１】
次に、上記した受け渡し装置の各部処理内容について説明する。尚、下記説明はプリントのみについての説明とし、記憶媒体については公知の技術を利用すればよいので、省略する。図４は、処理部の構成を示したブロック図である。図４に示すように本装置にはＣＰＵが内蔵されており、入力部の操作内容はＣＰＵに与えられ、表示部の表示内容はＣＰＵから与えられる。また、専用端末から機内コンピューター及び各サーバーを介して転送された注文情報は通信部を介して注文情報格納部に格納される。注文情報格納部に格納された注文画像は、順次、プリント手段によってプリント出力され、プリント注文した顧客ごと（認識ＩＤごと）に収納部に区分けされて収納される。代金が機内での支払いではなく、この受け取り時の支払いである場合は、該代金の投入口４８から投入された金額（金銭に限らず、プリペイドカード等のカードによる場合を含む）が投入金額検出部で検出され、その金額がＣＰＵに与えられる。
【００４２】
ＣＰＵは、専用端末において受取場所として指定された注文情報につき、機内コンピューター及び各サーバーから通信回線を介して伝送される注文情報を通信部により受入し、注文情報格納部に格納する。そして、注文情報格納部に格納された注文情報の注文画像の画像データをプリント手段に与え、その注文画像について注文情報により指定されたプリント枚数分のプリントをプリント出力させる。プリント手段から出力されたプリントは、認識ＩＤごとに収納部に区分けされて収納される。プリント出力が完了した注文情報については、必要な情報だけ残して注文情報格納部から消去する。
【００４３】
このようにＣＰＵは、機内コンピューターから与えられた各顧客の注文情報を順次、注文情報格納部に格納すると共に、注文情報格納部に格納した順番で順次、注文情報の各注文画像を注文情報により指定されたプリント枚数分ずつプリント手段でプリント出力する。そして、出来上がったプリントを顧客が受け取りに来るまで認識ＩＤ毎に区分けして収納部に収納、保存しておく。
【００４４】
尚、複数の顧客からの注文情報が与えられた場合に、プリントする順番は注文情報が与えられた順番ではなく、本装置の設置場所に顧客が到着するまでの時間が早い順に行うようにし、できるだけ全ての顧客が待ち時間なく出来上がったプリントを受け取れるようにしてもよい。本装置の設置場所に顧客が到着するまでの時間は、例えば、各顧客が注文を行った場所の情報を取得すれば容易に判断することができる。また、注文情報格納部のメモリ容量が多数の顧客からの注文情報によって不足する状況となった場合には、機内サーバーないしはハブサーバーで一時的に注文情報を保持しておくようにしてもよい。また、ＣＰＵは、専用端末において受取場所の選択のための選択画面にプリントに要する処理時間を表示する場合に、機内コンピューターから現在のプリント予約状況の問い合わせがあったときには、現在、注文情報格納部に格納されている未プリントの注文情報に基づいて何枚の画像がプリント待ちの状態にあるかを通信部により通信回線を介して機内コンピューターに送信する。
【００４５】
一方、ＣＰＵは、顧客が受け取り操作を行う際に、入力部からの入力の進捗状況に応じて次の入力を促す案内画面の表示部に表示すると共に、その案内画面に従って入力部から入力された情報を取得する。プリントを受け取りに来た顧客が、まず、入力部から認識ＩＤを取得すると、ＣＰＵは、注文情報格納部に格納されている注文情報の中からその認識ＩＤの注文情報を検索する。該当する注文情報が検出された場合には、その注文情報の注文画像のインデックス画像又は先頭画像等を表示部に表示し、認識がプリント注文した注文画像か否かの確認画面を表示部に表示する。入力部から違っている旨の入力があった場合には認識ＩＤの再入力を要求する。入力部から正しい旨の入力があった場合には、ＣＰＵは、収納部に区分けされて収納されているプリントのうちから、その認識ＩＤに対応するプリントを搬出手段によってプリント取り出し口に搬出させる。もし、入力された認識ＩＤのプリントが完了していない場合には、その旨を表示部に表示し、そのプリントが完了するまでに残りどれくらい時間を要するかを表示部に表示する。
【００４６】
以上のように、上記システムが設置された航空機を利用する顧客は、その航空機に搭乗している間に交通手段に取り付けられた撮影手段による撮影・選択・注文した記憶媒体またはプリントを、その航空機に搭乗している間に又は使用した後に、到着する空港での受け取りを選択することによって、搭乗時間中にプリントが行われ、待ち時間なく指定した場所で記憶媒体またはプリントを受け取ることができる。
【００４７】
尚、上記受け渡し装置は、顧客が記憶媒体またはプリントを直接受け取る場合に空港に配置されるものであるが、書き込みされた記憶媒体またはプリント出力されたプリントの管理、認識ＩＤ等による顧客の確認などは係員が行ってもかまわないことは勿論である。
【００４８】
航空機で移動している間に注文を行い、移動時間の間に出来上がった記憶媒体又はプリントを、到着した空港で待ち時間無く受け取ることが可能となる。これによって、顧客は時間を無駄にすることなく移動時間を有効に利用して、航空機に搭乗中にこの航空機に取り付けられた撮影手段を用いて撮影した画像を受け取ることができる。たった今まで搭乗していた航空機で撮影されていた映像の中から選択した画像を、到着した空港でプリントとして受け取ることによって、感動をより深めることができる。また、その場で、同行者の間でプリントを分配することもできる。
【００４９】
締め切り後の注文については、自宅等に最寄りのミニラボ店或いは郵送による受け取りを選択することになる。尚、この場合は、締め切り前の注文分についても空港内のミニラボを自宅等に最寄りのミニラボ店或いは郵送にまとめて変更可能とすることもできる。
【００５０】
顧客が帰途あるいは自宅に最寄りのミニラボ店で受け取りたい場合は、受け取りたいミニラボ店を専用端末で選択することにより、機内サーバーにストックされた画像情報は、顧客情報とともに人工衛星経由で地上のハブサーバーに送信され、そこから各ミニラボ店のサーバー（１５）に転送される。
【００５１】
また、顧客が記憶媒体またはプリントの郵送を希望する場合には、機内サーバーにストックされた画像情報は同様にしてあらかじめ定められたラボのサーバー（１７）に転送されて、記憶媒体への書き込みまたはプリント出力された後、顧客情報に基づいて郵送される。
【００５２】
交通手段に取り付けられた１台のカメラに対し複数の乗客がアクセスして画像情報の記憶を指示するため、多数の顧客の指示操作が集中した場合に備え、各カメラの画像情報は数分程度を動画あるいはコマ送り画像として記憶しておき、繰り返し上書き保存することが好ましい。これにより、データの処理時間を稼ぎ、多数の顧客が同じ画面をほぼ同時に注文することに応じることができる。
【００５３】
また、同じ地点の撮影であっても、顧客によって広角画面を所望する人と望遠画面（クローズアップ）を所望する人とが考えられるため、前述のように同じ方角に固定されたカメラを複数設置して、各々に異なる画角を設定して、顧客が専用端末のコントローラーを操作して好みの画角を選択できることが好ましい。別の方法として、画角の広いカメラ１台で撮影した画像を乗客の端末側でトリミングし、乗客毎に任意の画角でモニター画面に表示させたり、トリミングされた画像情報を記憶媒体に書き込みまたはプリントアウトできるようにしてもよい。また、魚眼レンズを備えたカメラを利用することも好ましく、この場合、ＣＰＵのソフトによって、画像情報としては通常のカメラで撮影した画像となるように処理することが好ましい。
【００５４】
さらに、特定の山、海岸等の風景や日の出日の入り画像については、あらかじめ撮影された画像情報を機内サーバーに記憶しておき、乗客の要望に応じて専用端末のモニター画面に表示したり、プリント注文に応じてもよい。例えば、雨天の飛行時には、あらかじめ撮影した晴天時の画像情報をモニター画面に表示できるようにしておくことで、乗客に楽しんでもらうことができる。晴天時に限らず、他の季節の画像や各撮影風景のベストショットの画像情報も機内サーバーに記憶しておいてもよい。
【００５５】
記憶媒体への画像情報の書き込みまたはプリントには、図５に示すように、撮影した日時、緯度経度、場所の標記、搭乗便名、航空会社のロゴや広告など、任意の文字情報やイラストを付加することができる。これにより、搭乗記念としての付加価値や、航空会社の宣伝効果が得られる。ＧＰＳにより飛行機の位置情報を入手し、あらかじめ登録された都市名、山や湖沼の名称などと対応させ、顧客の好みに応じてプリントに撮影した場所の名称を書き込めるようにするとよい。複数種類の定型文を予め用意しておき顧客の好みに応じて選択するようにしてもよい。また、任意の文字情報を顧客が書き込みできるようにしてもよい。
【００５６】
顧客は画像情報の記憶媒体への書き込みやプリント注文をする際に、好みに応じてアルバム形式で画像データを任意のレイアウトで張り付けたり、任意のイラストや文字を加えることができる。
【００５７】
機内サーバーには、あらかじめアルバムの背景となるデザインや画像のレイアウトをしたテンプレート、飛行機の出発地や到着地に関連したイラストや既製の画像データが記憶されており、顧客は専用端末（７）のモニター画面を見ながら、コントローラー（９）を操作して、デザインの選択、撮影した画像データの選択およびレイアウト、イラストや既製画像データの張り付け、文字入れ等の編集を行うことができる。アニメ等のキャラクターとタイアップした特別便等の場合には、当該ギャラクターを使用した特別のデザインや画像のレイアウトをしたテンプレートなどを限定特典として用意しておくことも好ましい。
【００５８】
画像データをアルバム編集する時点で、画像のトリミングや明るさ、色合いの調整、デフォルメ等の加工ができるようにしてもよい。
【００５９】
記憶媒体に書き込み後、またはプリント出力後、選択画像情報等の注文情報は削除されることが好ましい。しかし、同一の航空会社を度々利用する固定客（会員客）の場合は、各種のデータは削除せずに保存したままとし、利用の度に或いは自宅や職場等の外部ＰＣ（パソコン）や携帯電話から再注文を行えるようにしてもよい。この場合、固定客（会員客）専用のフォルダを航空会社のホストコンピューター等に用意し、固定客（会員客）が外部からアクセスできるようにしてもよい。
【００６０】
このシステムを利用した顧客への課金は、システム利用のための基本料金、撮影枚数に比例した撮影料金、画像の編集や文字入れに係わるデジタル加工料金、プリント枚数に比例したプリント料金、画像情報の記憶媒体への書き込み料金等が加味されるが、計算が煩雑となるためパケット方式で課金してもよい。
【００６１】
例えば、１回の利用に対して１０００円のパックと２０００円のパックを用意し、顧客があらかじめ選択できるようにする。１０００円のパックでは、撮影枚数が１０枚までに制限され、このうち５枚をプリントできる。２０００円のパックでは、撮影枚数が２０枚までに制限され、このうち１２枚をアルバム形式にレイアウトしてプリントすることができる。この際にテンプレートから選んだ任意のイラストや文字を入れることができる。追加でプリントしたい場合や画像データをＣＤ−ＲＯＭで受け取りたい場合は、別途追加料金を支払う。
【００６２】
精算の方法としては、機内でスチュワーデス等の乗務員が対応してもよいが、機内の各専用端末でプリペイドカード、クレジットカード等のカードによる決済ができるようにすることが好ましい。例えば、各座席の専用端末にカードリーダー（２０）を設置してもよい。また、プリント等を受け取る店舗での精算を、顧客が選択できるようにしてもよい。更に、同一の航空会社を度々利用する固定客の場合には、マイレージのポイントで支払いの代わりとしてもよいし、或いは利用頻度に応じて料金を適宜サービスの対象としてもよい。
【００６３】
以上の説明は、主に機外を撮影する場合について説明したが、機内を撮影する１台ないし複数台のカメラを設置し、機内の模様、例えば、団体パック旅行等で仲間との記念写真を撮る場合も上記機外と同様の手順によって行うことができる。この場合、他の旅行者等に配慮して、専用の撮影用シートを用意し、撮影希望者は該撮影用シートに移動した後に撮影してもよいし、或いは、予め、搭乗予約時に撮影用シートを指定するようにしてもよい。通常のシートにおいて、１人ないし複数人の撮影を行うようにしてもよいことは勿論である。
【００６４】
以上、本発明のシステムについて説明したが、交通手段本体がタクシーや小型バス等のようにスペース的に、記憶媒体の書き込みまたはプリント出力装置を設置することが困難な場合などには、車内での書き込みまたはプリントは不可能となる。この場合は、到着地で受け取るか、帰途あるいは自宅に最寄りのミニラボ店で受け取るか、或いは郵送での受け取りか、いずれかの選択となるのが基本であるが、移動経路途中での受け取りも可能である。即ち、バス旅行や電車旅行の場合には移動経路が略確定しているため、移動経路途中で出来上がった記憶媒体またはプリントをピックアップすればよい。移動経路途中にあるサービスステーションや営業所等、或いはミニラボなどの内、最速で受け取れる受け取り可能地点を注文の際に表示するようにし、顧客は該受け取り可能地点を選択する構成とすればよい。この場合、顧客は受け取り可能地点を選択することなく、最速で受け取りができる地点を注文した顧客に知らせるだけでもよい。尚、記憶媒体は、自己所有のものに限らず、新規購入品、無償提供品を含む。
【００６５】
【発明の効果】
本発明によれば、乗客の各々が着席したままで、あたかも各自がカメラのシャッターを押すかのように所望する車内外の写真撮影が楽しめ、高品位な画像記憶情報またはプリントを当該車内で、又は到着地点にて、又は自宅付近等のいずれかで得ることができるシステムおよび方法を提供することができる。
【図面の簡単な説明】
【図１】本発明に係る画像の撮影および出力システムの一実施例を示す概略構成図
【図２】本発明に係る画像の撮影および出力システムの利用方法の一例を示すフロー図
【図３】受け渡し装置の一実施例を示す外観構成図
【図４】受け渡し装置の処理構成を示すブロック図
【図５】本発明に係る画像の撮影および出力システムによって得られるプリントの例を示す図
【図１】
2004153498.tif 000003
【図２】
2004153498.tif 000004
【図３】
2004153498.tif 000005
【図４】
2004153498.tif 000006
【図５】
2004153498.tif 000007